(57)【要約】【課題】トルクの比較的大きなヒンジ部を用いる場合でも、撮像装置の大型化を招くことなく、表示ユニットを容易に開閉操作することができる仕組みを提供する。【解決手段】撮像装置１００は、装置本体１０１と、装置本体１０１に対してヒンジ部１３０を介して開閉方向に回動可能に支持される表示ユニット１２０と、を備える。表示ユニット１２０は、ヒンジ部１３０と反対側の側面部の一部１２０ａが表示ユニット１２０の閉じ状態で装置本体１０１から露出し、前記露出する部分は、装置本体１０１の隣接する二つの外形面１０９，１６０が交差することにより形成される開放凹部に位置する。【選択図】図７
2016075749.tif 000002
【特許請求の範囲】
【請求項１】
装置本体と、
前記装置本体に対してヒンジ部を介して開閉方向に回動可能に支持される表示ユニットと、を備え、
前記表示ユニットは、前記ヒンジ部と反対側の側面部の一部が前記表示ユニットの閉じ状態で前記装置本体から露出し、
前記露出する部分は、前記装置本体の隣接する二つ以上の外形面が角度をもって交差することにより形成される開放凹部に位置することを特徴とする撮像装置。
【請求項２】
前記表示ユニットの前記ヒンジ部と反対側の側面部の一部は、前記側面部の角部であることを特徴とする請求項１に記載の撮像装置。
【請求項３】
前記ヒンジ部は、前記表示ユニットを前記装置本体に対して開き状態で回転可能に支持し、
前記表示ユニットは、表示面を前記装置本体に向けて閉じる第１の閉じ状態と、前記表示面を前記装置本体の反対側に向けて閉じる第２の閉じ状態を有し、
前記表示ユニットの前記表示面の外側には、操作用のスイッチが配置され、
前記第２の閉じ状態では、前記操作用のスイッチが前記開放凹部の近傍に位置することを特徴とする請求項１又は２に記載の撮像装置。
【請求項４】
前記表示ユニットの前記露出する部分は、前記装置本体の隣接する二つ外形面どうしを結ぶ接線よりも前記装置本体に近い内側位置に配置されることを特徴とする請求項１乃至３のいずれか一項に記載の撮像装置。
【請求項５】
前記装置本体の正面側には、レンズ部が設けられ、
前記表示ユニットは、前記装置本体の背面側に配置されていることを特徴とする請求項１乃至４のいずれか一項に記載の撮像装置。
【請求項６】
前記レンズ部は、前記装置本体に対して着脱可能に装着される交換レンズ部であることを特徴とする請求項５に記載の撮像装置。
【発明の詳細な説明】
【技術分野】
【０００１】
本発明は、例えばデジタルカメラやデジタルビデオカメラ等の撮像装置に関する。
【背景技術】
【０００２】
デジタルカメラ等の撮像装置では、装置本体に対して表示ユニットがヒンジ部を介して開閉方向に回動可能に支持されるものがある。
【０００３】
このような撮像装置として、従来、表示ユニットの回動軸と反対側の側面部に指掛け用の溝部を形成して、表示ユニットを開閉操作しやすくした技術が提案されている（特許文献１）。
【０００４】
この提案では、表示ユニットの回動軸と反対側の側面部に２箇所の溝部を設け、一方の溝部が表示ユニットを閉じ状態でロックするロック爪と係合し、他方の溝部が表示ユニットを開いてロックを解除する際の指掛け用となっている。そして、装置本体の一部を大きく切り欠くことで、指掛け用の溝部を露出させて指を掛けやすいようにしている。
【先行技術文献】
【特許文献】
【０００５】
【特許文献１】特開２００２−２０４３８０号公報
【発明の概要】
【発明が解決しようとする課題】
【０００６】
ところで、特に業務用の撮像装置では、大型の表示ユニットを有するが、表示ユニットの堅牢性や表示ユニットが不用意に動いたりしないようにするため、ヒンジ部は、トルクが大きいものを使用することが多い。
【０００７】
しかし、上記特許文献１では、指掛け用の溝部は、ロック爪が係合する溝部と同様に、比較的小さく形成されて指の掛代が少ないため、十分に力をかけることができない。このため、特に業務用の撮像装置のように、トルクが大きいヒンジ部を用いる場合には、表示ユニットを容易に開閉操作することが難しい。
【０００８】
また、上記特許文献１では、装置本体の一部を大きく切り欠いて指掛け用の溝部を露出させているため、切り欠く部分の面積が装置本体に必要となり、装置本体ひいては撮像装置の大型化を招く。
【０００９】
そこで、本発明は、トルクの比較的大きなヒンジ部を用いる場合でも、撮像装置の大型化を招くことなく、表示ユニットを容易に開閉操作することができる仕組みを提供することを目的とする。
【課題を解決するための手段】
【００１０】
上記目的を達成するために、本発明の撮像装置は、装置本体と、前記装置本体に対してヒンジ部を介して開閉方向に回動可能に支持される表示ユニットと、を備え、前記表示ユニットは、前記ヒンジ部と反対側の側面部の一部が前記表示ユニットの閉じ状態で前記装置本体から露出し、前記露出する部分は、前記装置本体の隣接する二つ以上の外形面が角度をもって交差することにより形成される開放凹部に位置することを特徴とする。
【発明の効果】
【００１１】
本発明によれば、トルクの比較的大きなヒンジ部を用いる場合でも、撮像装置の大型化を招くことなく、表示ユニットを容易に開閉操作することができる。
【図面の簡単な説明】
【００１２】
【図１】本発明の撮像装置の実施形態の一例であるデジタルカメラを背面側から見た斜視図である。
【図２】図１に示すデジタルカメラの表示ユニットをカメラ本体に対して全開にした状態を示す斜視図である。
【図３】図２に示すデジタルカメラを正面側から見た斜視図である。
【図４】カメラ本体に対して表示ユニットを図２に示す状態から反転して閉じた状態を示す斜視図である。
【図５】図２の状態から表示ユニットを反転することなく閉じた状態をカメラ本体の背面側から見た平面図である。
【図６】図５の正面側から見た斜視図である。
【図７】図５の右側後方から見た斜視図である。
【図８】図５に示す表示ユニットの閉じ状態から表示ユニットをカメラ本体に対して開く操作をする際の様子をカメラ本体の背面側から見た平面図である。
【図９】図８の正面側から見た斜視図である。
【図１０】図８の右側後方から見た斜視図である。
【図１１】図６の状態からグリップ部を取り外した状態を示す図である。
【図１２】図４の状態をカメラ本体の背面側から光軸方向に見た平面図である。
【図１３】図１２の右側後方から見た斜視図である。
【図１４】表示ユニットを反転して閉じた状態で操作用十字スイッチ部を操作する際の様子をカメラ本体の背面側から見た平面図である。
【図１５】図１４の右側後方から見た斜視図である。
【発明を実施するための形態】
【００１３】
以下、図面を参照して、本発明の実施形態の一例を説明する。
【００１４】
図１は、本発明の撮像装置の実施形態の一例であるデジタルカメラを背面側から見た斜視図である。
【００１５】
図１に示すように、本実施形態のデジタルカメラ１００は、カメラ本体１０１の正面側に交換レンズ部１１０が着脱可能に装着され、カメラ本体１０１の上部に、スイッチ部１０２及びファインダ部１５０等が設けられている。
【００１６】
カメラ本体１０１を背面側から見てカメラ本体１０１の左側部には、操作ボタン群１０３が設けられ、右側部には、外部接続部１６０等が設けられている。カメラ本体１０１は、本発明の装置本体の一例に相当する。
【００１７】
また、カメラ本体１０１の背面側には、ＬＣＤ等の表示ユニット１２０がカメラ本体１０１に対してヒンジ部１３０を介して開閉方向に回動可能に、かつ開状態で回転可能に支持されている。図１では、表示ユニット１２０は、カメラ本体１０１に対して閉じた状態であり、表示面１２１（図２参照）をカメラ本体１０１に向けて閉じた本発明の第１の閉じ状態の一例に相当する。カメラ本体１０１の表示ユニット１２０の下方には、バッテリボックス部１０４が設けられている。
【００１８】
なお、本実施形態では、カメラ本体１０１に対して交換レンズ部１１０が着脱可能に装着される一眼レフタイプのデジタルカメラを例示したが、カメラ本体１０１に対してレンズ部が一体に設けられるデジタルカメラであってもよい。
【００１９】
図２は、図１に示すデジタルカメラ１００の表示ユニット１２０をカメラ本体１０１に対して全開にした状態を示す斜視図である。図３は、図２に示すデジタルカメラ１００を正面側から見た斜視図である。
【００２０】
図２に示すように、カメラ本体１０１に対して表示ユニット１２０をヒンジ部１３０を介して１８０°回動させて全開にした状態では、カメラ本体１０１の背面側に設けられた背面スイッチ部１０７、及びメモリカードを保護する蓋部２００が外観面に露出する。
【００２１】
また、表示ユニット１２０には、図１の閉じ状態でカメラ本体１０１側を向いていた面に、表示面１２１、操作用十字スイッチ部１２２、及びパネルスイッチ部１２３が配置されている。なお、図２では、バッテリボックス部１０４に、バッテリ１４０が着脱可能に収納されている。
【００２２】
また、図３に示すように、交換レンズ部１１０は、レンズマウント部１１１を介してカメラ本体１０１に装着される。交換レンズ部１１０は、着脱ノブ１１２の操作によりレンズマウント部１１１に対して着脱可能になっている。
【００２３】
カメラ本体１０１を正面側から見てカメラ本体１０１の左側の側面部（以下、左側面部という。）１０９には、ユーザが撮影時に把持するグリップ部１７０が着脱可能に取り付けられ、グリップ部１７０には、グリップトリガ部１７１等が設けられている。
【００２４】
図４は、カメラ本体１０１に対して表示ユニット１２０を図２に示す状態から反転して閉じた状態を示す斜視図である。
【００２５】
本実施形態では、表示ユニット１２０は、図２に示す開き状態でヒンジ部１３０を介してカメラ本体１０１に対して回転可能に支持されている。したがって、図２に示す状態から表示ユニット１２０を１８０°回転操作して閉じることで、図４に示すように、表面１２１を反転した状態で表示ユニット１２０を閉じることが可能となる。ここで、図４に示す表示ユニット１２０の閉じ状態は、本発明の第２の閉じ状態の一例に相当する。
【００２６】
図５は、図２の状態から表示ユニット１２０を反転することなく閉じた状態をカメラ本体１０１の背面側から見た平面図である。図６は、図５の正面側から見た斜視図である。
図７は、図５の右側後方から見た斜視図である。
【００２７】
図５乃至図７に示すように、表示ユニット１２０のヒンジ部１３０と反対側の側面部の上側角部１２０ａは、表示ユニット１２０の閉じ状態でカメラ本体１０１の開放凹部に配置される。この開放凹部は、カメラ本体１０１の左側面部１０９と外部接続部１６０とが角度をもって交差することにより形成される。
【００２８】
この状態では、表示ユニット１２０の表示面１２１の一部がカメラ本体１０１の正面側、即ち交換レンズ部１１０側に露出して配置されている。ここで、左側面部１０９と外部接続部１６０は、本発明の隣接する二つの外形面の一例に相当する。
【００２９】
図８は、図５に示す表示ユニット１２０の閉じ状態から表示ユニット１２０をカメラ本体１０１に対して開く操作をする際の様子をカメラ本体１０１の背面側から見た平面図である。図９は、図８の正面側から見た斜視図である。図１０は、図８の右側後方から見た斜視図である。
【００３０】
図８乃至図１０に示すように、撮影者の指部５００により表示ユニット１２０の露出部分である上側角部１２０ａを正面側から背面側（図１１の矢印Ａ側）に押すことで、表示ユニット１２０をヒンジ部１３０を介して開方向に容易に回動させることが可能である。
【００３１】
この場合、表示ユニット１２０の上側角部１２０ａを指部５００の腹を使って大きな面積で押し操作することができる。このため、特に業務用のデジタルカメラのように、トルクが大きいヒンジ部１３０を用いる場合でも、表示ユニット１２０を容易に開閉させることが可能になる。
【００３２】
また、カメラ本体１０１の前記開放凹部に表示ユニット１２０の上側角部１２０ａを配置して露出させている。このため、従来のように、カメラ本体１０１に大きな切り欠き部を形成しなくとも、指掛け部である表示ユニット１２０の上側角部１２０ａを露出させることができ、カメラ本体１０１ひいてはデジタルカメラ１００の小型化が可能となる。
【００３３】
図１１は、図６の状態からグリップ部１７０を取り外した状態を示す図である。
【００３４】
図１１に示すように、表示ユニット１２０の上側角部１２０ａは、前述したように、カメラ本体１０１の前記開放凹部に配置されている。そして、表示ユニット１２０の上側角部１２０ａは、カメラ本体１０１の左側面部１０９と外部接続部１６０との外形頂点どうしを結ぶ接線６００よりもカメラ本体１０１に近い内側位置に配置される。
【００３５】
このため、カメラ本体１０１からグリップ部１７０を取り外した状態で、たとえば床への落下等の衝撃が加わった場合でも、表示ユニット１２０が直接床面と当たることがなく、表示ユニット１２０を保護することが可能となる。
【００３６】
図１２は、図４の状態をカメラ本体１０１の背面側から光軸方向に見た平面図である。図１３は、図１２の右側後方から見た斜視図である。
【００３７】
図１２及び図１３に示すように、表示ユニット１２０を反転して閉じた状態では、カメラ本体１０１の前記開放凹部には、表示ユニット１２０の上側角部１２０ａとは逆の下側角部１２０ｂが配置される。
【００３８】
この状態では、表示ユニット１２０の表示面１２１の反対側の面の一部がカメラ本体１０１の正面側、即ち交換レンズ部１１０側に露出して配置されている。また、表示ユニット１２０の表示面１２１の外側には、操作用十字スイッチ部１２２及びパネルスイッチ部１２３が設けられている。
【００３９】
操作用十字スイッチ部１２２及びパネルスイッチ部１２３は、表示ユニット１２０の下側角部１２０ｂの近傍、即ち、表示ユニット１２０を反転して閉じた際のカメラ本体１０１の前記開放凹部の近傍に配置される。
【００４０】
図１４は、表示ユニット１２０を反転して閉じた状態で操作用十字スイッチ部１２２を操作する際の様子をカメラ本体１０１の背面側から見た平面図である。図１５は、図１４の右側後方から見た斜視図である。
【００４１】
図１４及び図１５に示すように、操作用十字スイッチ部１２２及びパネルスイッチ部１２３を親指部５０１で操作する際に、表示ユニット１２０の下側角部１２０ｂの表示面１２１の反対側の面を人差し指部５００で支えることが可能になる。このため、表示ユニット１２０を表示面１２１の反対側の面を支えることなく操作するよりもより安定して操作することが可能になる。
【００４２】
また、人差し指部５００で表示面１２１の反対側の面を支えることにより、表示ユニット１２０の表示面１２１を避けて操作用十字スイッチ部１２２を親指部５０１で操作することができる。このため、表示面１２１に表示された画像を確認しながら様々な機能を操作することが可能になる。
【００４３】
以上説明したように、本実施形態では、トルクの比較的大きなヒンジ部１３０を用いる場合でも、デジタルカメラ１００の大型化を招くことなく、表示ユニット１２０を容易に開閉操作することができる。
【００４４】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４５】
１００  デジタルカメラ
１０１  カメラ本体
１０９  左側面部
１２０  表示ユニット
１２０ａ  上側角部
１２０ｂ  下側角部
１２１  表示面
１３０  ヒンジ部
１６０  外部接続部
【図１】
2016075749.tif 000003
【図２】
2016075749.tif 000004
【図３】
2016075749.tif 000005
【図４】
2016075749.tif 000006
【図５】
2016075749.tif 000007
【図６】
2016075749.tif 000008
【図７】
2016075749.tif 000009
【図８】
2016075749.tif 000010
【図９】
2016075749.tif 000011
【図１０】
2016075749.tif 000012
【図１１】
2016075749.tif 000013
【図１２】
2016075749.tif 000014
【図１３】
2016075749.tif 000015
【図１４】
2016075749.tif 000016
【図１５】
2016075749.tif 000017